(57)【要約】【課題】２つの無線通信システムがアクセスチャネルで同時に送信を行おうとした場合にタイムラグが発生しない無線通信端末およびその制御方法を提供する。【解決手段】第１無線通信システムがアクセス処理を行っている際に、第２無線通信システムへのアクセス処理要求を受けると、各システムの送信タイミングを判定し、各システムの送信タイミングが異なる場合、第１無線通信システムの次の送信のための待ち時間である所定の時間の間に、第２無線通信システムの送信を行うように制御する。各システムの送信タイミングが同一の場合、第２無線通信システムへのアクセス処理を開始するとともに、第２無線通信システムの送信を停止して第１無線通信システムの送信を優先し、第１無線通信システムのアクセス処理が終了すると、第２無線通信システムの送信を開始する。【選択図】図１
2008167037.tif 000002
【特許請求の範囲】
【請求項１】
システムへのアクセスを得ることを試みるために、初期送信パワーで最初の送信を行い、該送信に対して基地局から肯定応答が受信されない場合、所定の時間後、前記送信パワーを調整して繰り返し送信を行い、該送信に対して基地局から肯定応答を受信するまで、または前記繰り返し行われるアクセス試みが所定回数行われるまでシステムへのアクセス処理を続ける第１無線通信システムおよび第２無線通信システムに対応した無線通信端末であって、
前記第１無線通信システムおよび前記第２無線通信システムによる情報の送受信が可能な送受信手段と、
前記第１無線通信システムおよび前記第２無線通信システムによる情報の受信が可能な受信手段と、
前記第１無線通信システムおよび前記第２無線通信システムへのアクセス処理が重複した場合、最初にアクセス処理を開始した無線通信システムの肯定応答の受信を前記送受信手段で行い、後にアクセス処理を開始した無線通信システムの肯定応答の受信を前記受信手段で行うように制御する制御手段と、
を有する無線通信端末。
【請求項２】
前記制御手段は、最初にアクセス処理を開始した無線通信システムのアクセス処理が終了すると、後にアクセス処理を開始した無線通信システムの肯定応答の受信を前記送受信手段で行うように制御することを特徴とする請求項１に記載の無線通信端末。
【請求項３】
システムへのアクセスを得ることを試みるために、初期送信パワーで最初の送信を行い、該送信に対して基地局から肯定応答が受信されない場合、所定の時間後、前記送信パワーを調整して繰り返し送信を行い、該送信に対して基地局から肯定応答を受信するまで、または前記繰り返し行われるアクセス試みが所定回数行われるまでシステムへのアクセス処理を続ける第１無線通信システムおよび第２無線通信システムに対応した無線通信端末の制御方法であって、
前記第１無線通信システムがアクセス処理を行っている際に、前記第２無線通信システムへのアクセス処理要求を受けると、各システムの送信タイミングを判定し、各システムの送信タイミングが異なる場合、前記第１無線通信システムの次の送信のための待ち時間である前記所定の時間の間に、前記第２無線通信システムの送信を行うように制御することを特徴とする無線通信端末の制御方法。
【請求項４】
システムへのアクセスを得ることを試みるために、初期送信パワーで最初の送信を行い、該送信に対して基地局から肯定応答が受信されない場合、所定の時間後、前記送信パワーを調整して繰り返し送信を行い、該送信に対して基地局から肯定応答を受信するまで、または前記繰り返し行われるアクセス試みが所定回数行われるまでシステムへのアクセス処理を続ける第１無線通信システムおよび第２無線通信システムに対応した無線通信端末の制御方法であって、
前記第１無線通信システムがアクセス処理を行っている際に、前記第２無線通信システムへのアクセス処理要求を受けると、各システムの送信タイミングを判定し、各システムの送信タイミングが同一の場合、前記第２無線通信システムへのアクセス処理を開始するとともに、前記第２無線通信システムの送信をスキップして前記第１無線通信システムの送信を優先し、前記第１無線通信システムのアクセス処理が終了すると、前記第２無線通信システムの送信を開始することを特徴とする無線通信端末の制御方法。
【発明の詳細な説明】
【技術分野】
【０００１】
本発明は、無線通信端末およびその制御方法に関するものである。
【背景技術】
【０００２】
近年、携帯電話等の無線通信端末には、それぞれの規格に応じた複数の方式が存在しており、例えば、日本の携帯電話方式では、ＴＤＭＡ方式、ＣＤＭＡ方式が普及している。
【０００３】
通常、無線通信端末は、何れか１つの規格に対応するように構成されているが、例えば携帯電話方式では、端末の普及に伴って各方式に割当てられている周波数帯が逼迫していることから、マルチバンドへの移行が考えられている。また、安定した高機能のサービスを提供することから、異なる周波数帯間でのハンドオフや、複数の通信システムで通信を行うマルチバンド／マルチモード化も行われている。
【０００４】
このようなマルチバンド／マルチモードに対応する無線通信端末として、例えばＴＤＭＡ方式とＣＤＭＡ方式とを組み合わせ、プライマリアンテナにＴＤＭＡ方式の送受信部とＣＤＭＡ方式の送信部とを結合し、セカンダリアンテナにＣＤＭＡ方式の受信部を結合した無線通信端末が知られている（例えば、特許文献１参照）。
【０００５】
また、最近では、ｃｄｍａ２０００  １ｘＥＶ−ＤＯシステムとｃｄｍａ２０００  １ｘシステムの２つの通信システムを搭載したマルチバンド／マルチモード対応の無線通信端末も考えられている。
【０００６】
図１０は、ｃｄｍａ２０００  １ｘＥＶ−ＤＯシステムとｃｄｍａ２０００  １ｘシステムの２つの通信システムを搭載した無線通信端末の要部の概略構成を示す機能ブロック図である。この無線通信端末は、８００ＭＨｚ帯でのｃｄｍａ２０００方式（以下、８００ＭＨｚ帯と適宜略称する）および２ＧＨｚ帯でのｃｄｍａ２０００方式（以下、２ＧＨｚ帯と適宜略称する）による１ｘの通信システムと、１ｘＥＶ−ＤＯ（以下、単にＥＶＤＯと適宜略称する）の通信システムとを有するとともに、１５７５．４２ＭＨｚ（以下、１．５ＧＨｚ帯と適宜略称する）のＧＰＳ周波数の受信機能を有するもので、変調回路および復調回路を有するベースバンド部１００に接続された送信部（Ｔｘ）１０１、プライマリ受信部（プライマリＲｘ）１０２およびセカンダリ受信部（セカンダリＲｘ）１０３を備えている。
【０００７】
送信部１０１およびプライマリ受信部１０２は、デュープレクサ１０４を介してプライマリアンテナ１０５に接続されて、８００ＭＨｚ帯および２ＧＨｚ帯での送受信が可能となっている。また、セカンダリ受信部１０３は、セカンダリアンテナ１０６に接続されて、プライマリ受信部１０２と独立して８００ＭＨｚ帯、２ＧＨｚ帯および１．５ＧＨｚ帯での受信が可能となっている。セカンダリアンテナ１０６は、８００ＭＨｚ帯、２ＧＨｚ帯および１．５ＧＨｚ帯の３バンドを受信するため、８００ＭＨｚ帯および２ＧＨｚ帯の２バンドで送受信するプライマリアンテナ１０５と比較して、８００ＭＨｚ帯や２ＧＨｚ帯のアンテナ利得は、一般に低くなっている。例えば、図１１に示すように、プライマリアンテナ１０５の８００ＭＨｚ帯および２ＧＨｚ帯におけるアンテナ利得が、それぞれ−３ｄＢｉおよび０ｄＢｉであるのに対して、セカンダリアンテナ１０６の８００ＭＨｚ帯および２ＧＨｚ帯におけるアンテナ利得は、それぞれ−１０ｄＢｉおよび−３ｄＢｉとなっている。このため、セカンダリ受信部１０３では、基地局からのページングの捕捉能力に関しては、プライマリ受信部１０２よりも低くなる。
【０００８】
そこで、従来は、図１０に示すように、プライマリ受信部１０２あるいはセカンダリ受信部１０３で受信されてベースバンド部１００に入力された実際の受信感度と、閾値メモリ１０７に予め格納した受信感度の閾値とをモード切替え部１０８において比較して、受信環境に応じて、プライマリ受信部１０２とセカンダリ受信部１０３を切り替えるように制御している。
【特許文献１】特開２００４−１５１６２号公報
【発明の開示】
【発明が解決しようとする課題】
【０００９】
上述した１ｘシステムやＥＶＤＯシステムの機能を備えた無線通信端末では、基地局との通信に必要な情報を、アクセスチャネル（Ａｃｃｅｓｓ  Ｃｈａｎｎｅｌ）を用いて基地局に送信している。アクセスチャネルによる送信は、初期送信パワーで最初の送信を行い、この送信に対して基地局から肯定応答（Ａｃｋ）が受信されない場合、所定の時間後、送信パワーを調整して繰り返し送信を行い、基地局から肯定応答を受信するまで、または繰り返し行われるアクセス試みが所定回数に達するまで行われ、１ｘシステムとＥＶＤＯシステムの両方の機能を備えた無線通信端末では、どちらか一方のシステムが送信部（Ｔｘ）を占有して行っている。図１２は、上述した従来の無線通信端末でのアクセスチャネルによる送信を示す図である。図に示すように、１ｘシステムへのアクセス処理要求があり、１ｘシステムが送信部（Ｔｘ）を占有してアクセスチャネルによりアクセス処理を行っている間に、ＥＶＤＯシステムへのアクセス処理要求があったときは、１ｘシステムのＡｃｋ信号を受信して１ｘシステムでの送信が完了した後に、ＥＶＤＯシステムが送信部（Ｔｘ）を占有してアクセスチャネルによりアクセス処理を行っている。このように、上述した無線通信端末では、一方のシステムが送信を行っている場合には、他方のシステムは、一方のシステムの送信が終了するまで待ってから送信を行うため、送信のタイムラグが発生するという問題がある。また、別の方法として、一方のシステムの送信を中止して他方のシステムの送信を行う方法もあるが、中止したシステムは、他方のシステムの送信後、もう一度送信を実施し直さなければならない。
【００１０】
本発明は、このような問題点に鑑みてなされたものであり、本発明の目的は、２つの無線通信システムがアクセスチャネルで同時に送信を行おうとした場合にタイムラグが発生しない無線通信端末およびその制御方法を提供することにある。
【課題を解決するための手段】
【００１１】
上記目的を達成するため、本発明は、システムへのアクセスを得ることを試みるために、初期送信パワーで最初の送信を行い、該送信に対して基地局から肯定応答が受信されない場合、所定の時間後、前記送信パワーを調整して繰り返し送信を行い、該送信に対して基地局から肯定応答を受信するまで、または前記繰り返し行われるアクセス試みが所定回数行われるまでシステムへのアクセス処理を続ける第１無線通信システムおよび第２無線通信システムに対応した無線通信端末であって、前記第１無線通信システムおよび前記第２無線通信システムによる情報の送受信が可能な送受信手段と、前記第１無線通信システムおよび前記第２無線通信システムによる情報の受信が可能な受信手段と、前記第１無線通信システムおよび前記第２無線通信システムへのアクセス処理が重複した場合、最初にアクセス処理を開始した無線通信システムの肯定応答の受信を前記送受信手段で行い、後にアクセス処理を開始した無線通信システムの肯定応答の受信を前記受信手段で行うように制御する制御手段とを有する。
【００１２】
前記制御手段は、最初にアクセス処理を開始した無線通信システムのアクセス処理が終了すると、後にアクセス処理を開始した無線通信システムの肯定応答の受信を前記送受信手段で行うように制御することが好ましい。
【００１３】
また、本発明は、システムへのアクセスを得ることを試みるために、初期送信パワーで最初の送信を行い、該送信に対して基地局から肯定応答が受信されない場合、所定の時間後、前記送信パワーを調整して繰り返し送信を行い、該送信に対して基地局から肯定応答を受信するまで、または前記繰り返し行われるアクセス試みが所定回数行われるまでシステムへのアクセス処理を続ける第１無線通信システムおよび第２無線通信システムに対応した無線通信端末の制御方法であって、前記第１無線通信システムがアクセス処理を行っている際に、前記第２無線通信システムへのアクセス処理要求を受けると、各システムの送信タイミングを判定し、各システムの送信タイミングが異なる場合、前記第１無線通信システムの次の送信のための待ち時間である前記所定の時間の間に、前記第２無線通信システムの送信を行うように制御することを特徴とする。
【００１４】
また、本発明は、システムへのアクセスを得ることを試みるために、初期送信パワーで最初の送信を行い、該送信に対して基地局から肯定応答が受信されない場合、所定の時間後、前記送信パワーを調整して繰り返し送信を行い、該送信に対して基地局から肯定応答を受信するまで、または前記繰り返し行われるアクセス試みが所定回数行われるまでシステムへのアクセス処理を続ける第１無線通信システムおよび第２無線通信システムに対応した無線通信端末の制御方法であって、前記第１無線通信システムがアクセス処理を行っている際に、前記第２無線通信システムへのアクセス処理要求を受けると、各システムの送信タイミングを判定し、各システムの送信タイミングが同一の場合、前記第２無線通信システムへのアクセス処理を開始するとともに、前記第２無線通信システムの送信を停止して前記第１無線通信システムの送信を優先し、前記第１無線通信システムのアクセス処理が終了すると、前記第２無線通信システムの送信を開始することを特徴とする。
【発明の効果】
【００１５】
本発明は、２つの無線通信システムがアクセスチャネルで同時に送信を行おうとした場合に、アクセスチャネルでの送信を同時に実施できるため、送信のタイムラグをなくすことができる。
【発明を実施するための最良の形態】
【００１６】
本発明の実施の形態について図面を参照して説明する。図１は、本発明の無線通信端末のアクセスチャネル送信部の概略構成を示す機能ブロック図である。本実施の形態の無線通信端末は、図１０と同様に、８００ＭＨｚ帯および２ＧＨｚ帯による１ｘシステムと、ＥＶＤＯシステムとを有するとともに、１．５ＧＨｚ帯のＧＰＳ周波数の受信機能を有するものである。図１において、送受信手段である送信部１およびプライマリ受信部２は、８００ＭＨｚ帯および２ＧＨｚ帯での送受信が可能であり、また、１ｘシステムおよびＥＶＤＯシステムによる情報の送受信が可能となっている。受信手段であるセカンダリ受信部３は、プライマリ受信部２と独立して８００ＭＨｚ帯、２ＧＨｚ帯および１．５ＧＨｚ帯での受信が可能であり、また、１ｘシステムおよびＥＶＤＯシステムによる情報の受信が可能となっている。また、セカンダリ受信部３に接続されているセカンダリアンテナは、プライマリ受信部２に接続されているプライマリアンテナよりもアンテナ利得が低いものとする。
【００１７】
１ｘシステムおよびＥＶＤＯシステムは、システムへのアクセスを得ることを試みるために、アクセスチャネルを用いて、初期送信パワーで最初の送信を行い、この送信に対して基地局から肯定応答が受信されない場合、所定の時間後、送信パワーを調整して繰り返し送信を行い、この送信に対して基地局から肯定応答を受信するまで、または前記繰り返し行われるアクセス試み（ＡｃｃｅｓｓＡｔｔｅｍｐｔ）が所定回数行われるまでシステムへのアクセス処理を続ける。
【００１８】
図１に示す無線通信端末のアクセスチャネル送信部は、ＥＶＤＯアクセスチャネル送信要求コマンドおよびＥＶＤＯ送受信要求コマンドを出力するＥＶＤＯプロトコル制御部８と、ＥＶＤＯアクセスチャネル送信要求コマンドを受け取ってＥＶＤＯアクセスチャネル信号を生成するＥＶＤＯ送信制御部６と、１ｘアクセスチャネル送信要求コマンドおよび１ｘ送受信要求コマンドを出力する１ｘプロトコル制御部９と、１ｘアクセスチャネル送信要求コマンドを受け取って１ｘアクセスチャネル信号を生成する１ｘ送信制御部７と、通信システムごとにアクセスチャネル信号の送信タイミングの制御を行ってＥＶＤＯおよび／または１ｘアクセスチャネル信号を送信部１に出力するとともに、ＥＶＤＯおよび／または１ｘ送受信要求コマンドを受信アンテナ制御部４に出力するアクセスチャネル送信制御部５と、アクセスチャネル送信制御部５とＥＶＤＯプロトコル制御部８と１ｘプロトコル制御部９からＥＶＤＯおよび／または１ｘ送受信要求コマンドを受け取って、プライマリ受信部２またはセカンダリ受信部３にＥＶＤＯシステムまたは１ｘシステムの信号の受信を割り当てる受信アンテナ制御部（制御手段）４とにより構成される。
【００１９】
ＥＶＤＯ送信制御部６は、ＥＶＤＯプロトコル制御部８からＥＶＤＯアクセスチャネル送信要求コマンドを受け取ると、ＥＶＤＯアクセスチャネル信号をアクセスチャネル送信制御部５へ出力する。アクセスチャネル送信制御部５は、この時、１ｘ送信制御部７からは１ｘアクセスチャネル信号が入力されないので、ＥＶＤＯアクセスチャネル信号のみを送信部１に出力する。また、受信アンテナ制御部４は、アクセスチャネル送信制御部５およびＥＶＤＯプロトコル制御部８からＥＶＤＯ送信要求コマンドを受け取ると、プライマリ受信部２にＥＶＤＯシステムの信号の受信を割り当てる。この時、１ｘプロトコル制御部９からの１ｘ受信要求コマンドは無視される。
【００２０】
図２は、１ｘシステムからアクセスチャネル送信要求があった時の動作を示す図である。１ｘ送信制御部７は、１ｘプロトコル制御部９から１ｘアクセスチャネル送信要求コマンドを受け取ると、１ｘアクセスチャネル信号をアクセスチャネル送信制御部５へ出力する。アクセスチャネル送信制御部５は、この時、ＥＶＤＯ送信制御部６からはＥＶＤＯアクセスチャネル信号が入力されないので、１ｘアクセスチャネル信号のみを送信部１に出力する。また、受信アンテナ制御部４は、アクセスチャネル送信制御部５および１ｘプロトコル制御部９から１ｘ送信要求コマンドを受け取ると、プライマリ受信部２に１ｘシステムの信号の受信を割り当てる。この時、ＥＶＤＯプロトコル制御部８からのＥＶＤＯ受信要求コマンドは無視される。
【００２１】
図３は、ＥＶＤＯアクセスチャネル信号の送信中に、１ｘシステムからアクセスチャネル送信要求があった時の動作を示す図である。図１の状態、すなわちアクセスチャネル送信制御部５から送信部１にＥＶＤＯアクセスチャネル信号が出力され、プライマリ受信部２にＥＶＤＯシステムの信号の受信が割り当てられている状態のときに、図３に示すように、１ｘ送信制御部７が、１ｘプロトコル制御部９から１ｘアクセスチャネル送信要求コマンドを受け取って、１ｘアクセスチャネル信号をアクセスチャネル送信制御部５へ出力すると、アクセスチャネル送信制御部５は、ＥＶＤＯアクセスチャネル信号とのタイミング制御を行ってＥＶＤＯアクセスチャネル信号および１ｘアクセスチャネル信号を送信部１に出力する。
【００２２】
また、受信アンテナ制御部（制御手段）４は、アクセスチャネル送信制御部５および１ｘプロトコル制御部９から１ｘ送信要求コマンドを受け取ると、セカンダリ受信部３に１ｘシステムの信号の受信を割り当てる。このように、受信アンテナ制御部（制御手段）４は、ＥＶＤＯシステムおよび１ｘシステムへのアクセス処理（アクセスチャネル信号の送信）が重複した場合、最初にアクセス処理を開始したシステムの肯定応答の受信を、アンテナ利得の高いプライマリアンテナに接続されたプライマリ受信部２で行い、後にアクセス処理を開始したシステムの肯定応答の受信をセカンダリ受信部３で行うように制御する。
【００２３】
図４は、ＥＶＤＯアクセスチャネル信号と１ｘアクセスチャネル信号の同時送信中にＥＶＤＯアクセスチャネル信号の送信が完了した時の動作を示す図である。ＥＶＤＯプロトコル制御部８からＥＶＤＯ送信制御部６へのＥＶＤＯアクセスチャネル送信要求が無くなると、ＥＶＤＯ送信制御部６からアクセスチャネル送信制御部５へＥＶＤＯアクセスチャネル信号が出力されなくなり、アクセスチャネル送信制御部５には、１ｘアクセスチャネル信号のみが入力されるので、アクセスチャネル送信制御部５は、１ｘアクセスチャネル信号のみを送信部１に出力する。
【００２４】
また、受信アンテナ制御部（制御手段）４は、アクセスチャネル送信制御部５およびＥＶＤＯプロトコル制御部８からＥＶＤＯ送信要求コマンドが送信されなくなり、アクセスチャネル送信制御部５および１ｘプロトコル制御部９から１ｘ送信要求コマンドを受け取ることになるので、プライマリ受信部２をＥＶＤＯシステムの信号の受信から１ｘシステムの信号の受信に切り替える。この時、ＥＶＤＯプロトコル制御部８からのＥＶＤＯ受信要求コマンドは無視される。このように、受信アンテナ制御部（制御手段）４は、最初にアクセス処理（アクセスチャネル信号の送信）を開始したシステムのアクセス処理が終了すると、後にアクセス処理を開始したシステムの肯定応答の受信を、アンテナ利得の高いプライマリアンテナに接続されたプライマリ受信部２で行うように制御する。
【００２５】
図５は、各システムの送信タイミングが異なる場合のアクセスチャネルによる送信を示す図である。図に示すように、ＥＶＤＯシステムへのアクセス処理要求（アクセスチャネル送信要求コマンド）があり、ＥＶＤＯシステムがアクセスチャネルを用いてアクセス処理（アクセスチャネル信号の送信）を行っている間に、１ｘシステムへのアクセス処理要求を受けると、アクセスチャネル送信制御部５は、各システムの送信タイミングを判定し、各システムの送信タイミングが異なる場合、ＥＶＤＯシステムの次の送信のための待ち時間である所定の時間の間に、１ｘシステムがアクセスチャネルを用いてアクセス処理を行う。
【００２６】
図６は、各システムの送信タイミングが同一の場合のアクセスチャネルによる送信を示す図である。図に示すように、ＥＶＤＯシステムへのアクセス処理要求があり、ＥＶＤＯシステムがアクセスチャネルを用いてアクセス処理を行っている間に、１ｘシステムへのアクセス処理要求を受けると、アクセスチャネル送信制御部５は、各システムの送信タイミングを判定し、各システムの送信タイミングが同一の場合、１ｘシステムへのアクセス処理を開始するとともに、後に要求のあった１ｘシステムの送信をスキップ（処理をとばす）してＥＶＤＯシステムの送信を優先し、ＥＶＤＯシステムのアクセス処理が終了すると、１ｘシステムの送信を開始する。
【００２７】
図７は、ＥＶＤＯアクセスチャネル信号の送信中に、１ｘシステムからアクセスチャネル送信要求があった時のシーケンス図である。ＥＶＤＯプロトコル制御部８がＥＶＤＯ送信制御部６へＥＶＤＯアクセスチャネル送信要求コマンドを送信すると、ＥＶＤＯ送信制御部６は、ＥＶＤＯアクセスチャネル信号をアクセスチャネル送信制御部５へ出力する。アクセスチャネル送信制御部５は、送信制御を行ってＥＶＤＯアクセスチャネル信号を送信部１に出力する。また、ＥＶＤＯプロトコル制御部８が受信アンテナ制御部４へＥＶＤＯ送信要求コマンドを送信すると、受信アンテナ制御部４は、受信アンテナを切り替えてプライマリ受信部２にＥＶＤＯシステムの信号の受信を割り当てる。
【００２８】
次に、１ｘプロトコル制御部９が１ｘ送信制御部７へ１ｘアクセスチャネル送信要求コマンドを送信すると、１ｘ送信制御部７は、１ｘアクセスチャネル信号をアクセスチャネル送信制御部５へ出力する。アクセスチャネル送信制御部５は、送信制御を行って１ｘアクセスチャネル信号を送信部１に出力する。また、１ｘプロトコル制御部９が受信アンテナ制御部４へ１ｘ送信要求コマンドを送信すると、受信アンテナ制御部４は、受信アンテナを切り替えてセカンダリ受信部３に１ｘシステムの信号の受信を割り当てる。
【００２９】
図８は、アクセスチャネル送信制御部のフローチャートである。アクセスチャネル送信制御部は、アクセスチャネル信号の入力があると（ステップ１００）、アクセスチャネル信号がＥＶＤＯアクセスチャネル信号か１ｘアクセスチャネル信号かを判定する（ステップ１１０）。１ｘアクセスチャネル信号の場合は、１ｘ送信が行われているか否かを判定し（ステップ１２０）、１ｘ送信が行われている場合は終了する。１ｘ送信が行われていない場合は、ＥＶＤＯアクセスチャネル信号の送信が行われているか否かを判定し（ステップ１３０）、ＥＶＤＯアクセスチャネル信号の送信が行われている場合は、ＥＶＤＯアクセスチャネル信号とのタイミング制御を行って１ｘアクセスチャネル信号を送信部に出力する（ステップ１４０）。ＥＶＤＯアクセスチャネル信号の送信が行われていない場合は、タイミング制御することなく１ｘアクセスチャネル信号を送信部に出力する（ステップ１７０）。
【００３０】
ステップ１１０において、アクセスチャネル信号がＥＶＤＯアクセスチャネル信号の場合は、ＥＶＤＯ送信が行われているか否かを判定し（ステップ１５０）、ＥＶＤＯ送信が行われている場合は終了する。ＥＶＤＯ送信が行われていない場合は、１ｘアクセスチャネル信号の送信が行われているか否かを判定し（ステップ１６０）、１ｘアクセスチャネル信号の送信が行われている場合は、１ｘアクセスチャネル信号とのタイミング制御を行ってＥＶＤＯアクセスチャネル信号を送信部に出力する（ステップ１４０）。１ｘアクセスチャネル信号の送信が行われていない場合は、タイミング制御することなくＥＶＤＯアクセスチャネル信号を送信部に出力する（ステップ１７０）。
【００３１】
図９は、受信アンテナ制御部のフローチャートである。受信アンテナ制御部は、送信要求コマンドの入力があると（ステップ２００）、ＥＶＤＯ送信要求コマンドか１ｘ送信要求コマンドかを判定する（ステップ２１０）。１ｘ送信要求コマンドの場合は、１ｘ送信が行われているか否かを判定し（ステップ２２０）、１ｘ送信が行われている場合は終了する。１ｘ送信が行われていない場合は、ＥＶＤＯ送信が行われているか否かを判定し（ステップ２３０）、ＥＶＤＯ送信が行われている場合は、セカンダリ受信部（受信機）３に１ｘ受信を割り当てる（ステップ２４０）。ＥＶＤＯ送信が行われていない場合は、プライマリ受信部（受信機）２に１ｘ受信を割り当てる（ステップ２７０）。
【００３２】
ステップ２１０において、送信要求コマンドがＥＶＤＯ送信要求コマンドの場合は、ＥＶＤＯ送信が行われているか否かを判定し（ステップ２５０）、ＥＶＤＯ送信が行われている場合は終了する。ＥＶＤＯ送信が行われていない場合は、１ｘ送信が行われているか否かを判定し（ステップ２６０）、１ｘ送信が行われている場合は、セカンダリ受信部３にＥＶＤＯ受信を割り当てる（ステップ２４０）。１ｘ送信が行われていない場合は、プライマリ受信部２にＥＶＤＯ受信を割り当てる（ステップ２７０）。
【００３３】
上述のように、本発明は、２つのシステムがアクセスチャネルで同時に送信を行おうとした場合に、アクセスチャネルでの送信を同時に実施できるため、送信のタイムラグをなくすことができる。
また、今までは、１ｘシステムのレジストレーションがＥＶＤＯシステムのコネクション確立時にはできなかったが、レジストレーションが行えるようになり、ＥＶＤＯのトラフィックを中断して送信を行わずに着信や１ｘシステムにおけるＳＭＳ（ショートメッセージサービス）が正常に受信可能となる。
また、ＥＶＤＯシステムのカラーコード（Ｃｏｌｏｒｃｏｄｅ）越えによる端末識別子（ＵＡＴＩ：Ｕｎｉｃａｓｔ  Ａｃｃｅｓｓ  Ｔｅｒｍｉｎａｌ  Ｉｄｅｎｔｉｆｉｅｒ）の更新時には、１ｘシステムのハンドオフが発生している可能性が高く、同時にアクセスチャネル信号の送信が実施可能であると、レジストレーション完了まで、またはＵＡＴＩの更新にかかる時間が削減される。
【図面の簡単な説明】
【００３４】
【図１】本発明の無線通信端末のアクセスチャネル送信部の概略構成を示す機能ブロック図である。
【図２】１ｘシステムからアクセスチャネル送信要求があった時の動作を示す図である。
【図３】ＥＶＤＯアクセスチャネル信号の送信中に、１ｘシステムからアクセスチャネル送信要求があった時の動作を示す図である。
【図４】ＥＶＤＯアクセスチャネル信号と１ｘアクセスチャネル信号の同時送信中にＥＶＤＯアクセスチャネル信号の送信が完了した時の動作を示す図である。
【図５】各システムの送信タイミングが異なる場合のアクセスチャネルによる送信を示す図である。
【図６】各システムの送信タイミングが同一の場合のアクセスチャネルによる送信を示す図である。
【図７】ＥＶＤＯアクセスチャネル信号の送信中に、１ｘシステムからアクセスチャネル送信要求があった時のシーケンス図である。
【図８】アクセスチャネル送信制御部のフローチャートである。
【図９】受信アンテナ制御部のフローチャートである。
【図１０】従来の無線通信端末の概略構成を示す機能ブロック図である。
【図１１】プライマリアンテナおよびセカンダリアンテナの利得を示す図である。
【図１２】従来の無線通信端末でのアクセスチャネルによる送信を示す図である。
【符号の説明】
【００３５】
１  送信部
２  プライマリ受信部
３  セカンダリ受信部
４  受信アンテナ制御部
５  アクセスチャネル送信制御部
６  ＥＶＤＯ送信制御部
７  １ｘ送信制御部
８  ＥＶＤＯプロトコル制御部
９  １ｘプロトコル制御部
【図１】
2008167037.tif 000003
【図２】
2008167037.tif 000004
【図３】
2008167037.tif 000005
【図４】
2008167037.tif 000006
【図５】
2008167037.tif 000007
【図６】
2008167037.tif 000008
【図７】
2008167037.tif 000009
【図８】
2008167037.tif 000010
【図９】
2008167037.tif 000011
【図１０】
2008167037.tif 000012
【図１１】
2008167037.tif 000013
【図１２】
2008167037.tif 000014